(57)【特許請求の範囲】
【請求項１】
バッテリーの電圧をデジタル値の電圧データに変換するＡＤコンバーターと、
前記電圧データをもとにバッテリーの残量データを作成するバッテリー残量データ作成手段と、
カウンターデータを作成するカウンターデータ作成手段と、
前記電圧データと前記カウンターデータと前記残量データとを表示切り換え信号に従って切り換える切り換え手段と、
前記切り換え手段から出力される前記電圧データ、前記カウンターデータ及び前記残量データのうちのいずれかを表示データに変換する変換手段と、
前記表示データを表示する表示手段とを有する磁気記録再生装置。
【請求項２】
前記バッテリー残量データ作成手段は、前記バッテリーから出力される残量検出信号の電圧値をもとに前記残量データを作成する請求項１記載の磁気記録再生装置。
【請求項３】
前記カウンターデータと前記切り換え手段から出力されるデータとを切り換える第二の切り換え手段を有し、
前記変換手段は、前記第二の切り換え手段から出力される前記電圧データ、前記カウンターデータ及び前記残量データのうちのいずれかを表示データに変換する請求項１記載の磁気記録再生装置。
【請求項４】
タイマー回路と、
前記タイマー回路をもとに所定の時間間隔で前記表示切り換え信号を変化させる表示切り換え信号発生手段とを有する請求項１記載の磁気記録再生装置。
【請求項５】
前記電圧データをもとに前記バッテリーの電圧が所定電圧以下になったことを検出する電圧検出手段と、
前記残量データをもとにバッテリー残量が所定量以下になったことを検出する残量検出手段と、
前記電圧検出手段及び残量検出手段のうちの少なくともいずれかの検出結果に従い前記表示切り換え信号を変化させる表示切り換え信号発生手段とを有する請求項１記載の磁気記録再生装置。
【発明の詳細な説明】
【０００１】
【発明の属する技術分野】
本発明は、カウンターデータとバッテリーの電圧及び残量を表示する機能を持ったバッテリー駆動の磁気記録再生装置に関するものである。
【０００２】
【従来の技術】
以下、従来の、カウンターデータとバッテリー残量を表示する機能を持ったバッテリー駆動の磁気記録再生装置について図１２から図１４を用いて説明する。
【０００３】
図１２に示すように、バッテリー１から電源供給される磁気記録再生装置９は、バッテリー１の電圧をデジタル値に変換するＡＤコンバーター３と、電圧データを表示データに変換する装置４と、バッテリー残量を表示する表示装置５を有している。表示装置５は、図１３に示すように、セグメントの数でバッテリーの残量を表している。表示されているセグメントの数が最大のときバッテリーがフル充電またはフル充電に近い状態であることを表し、セグメントの数が少ないほど残量が少ない。また、カウンターデータを作成する装置６と、カウンターデータを表示データに変換する装置７と、カウンターデータを表示する表示装置８を有している。表示装置８は、図１４に示すように、７セグメントの８桁表示になっている。このように、カウンターデータとバッテリー残量は別々の表示装置で表示していた。
【０００４】
【発明が解決しようとする課題】
このような従来の磁気記録再生装置では、バッテリー残量が、おおまかにしか表示できなかった。また、バッテリーの電圧も表示できなかった。
【０００５】
本発明は、上記課題を解決するもので、表示装置を増やすことなく、バッテリーの詳細な残量を、またはバッテリーの電圧を表示することができるバッテリー駆動の磁気記録再生装置を提供することを目的とする。
【０００６】
【課題を解決するための手段】
この課題を解決するために本発明は、バッテリーの電圧をデジタル値の電圧データに変換するＡＤコンバーターと、電圧データをもとにバッテリーの残量データを作成するバッテリー残量データ作成手段と、カウンターデータを作成するカウンターデータ作成手段と、電圧データとカウンターデータと残量データとを表示切り換え信号に従って切り換える切り換え手段と、切り換え手段から出力される電圧データ、カウンターデータ及び残量データのうちのいずれかを表示データに変換する変換手段と、表示データを表示する表示手段とを有する構成である。
【０００７】
【発明の実施の形態】
本発明の請求項１に記載の発明は、バッテリーの電圧をデジタル値の電圧データに変換するＡＤコンバーターと、電圧データをもとにバッテリーの残量データを作成するバッテリー残量データ作成手段と、カウンターデータを作成するカウンターデータ作成手段と、電圧データとカウンターデータと残量データとを表示切り換え信号に従って切り換える切り換え手段と、切り換え手段から出力される電圧データ、カウンターデータ及び残量データのうちのいずれかを表示データに変換する変換手段と、表示データを表示する表示手段とを有する磁気記録再生装置であり、カウンターデータを表示できる表示装置が一つあれば、バッテリーの電圧を表示できるという作用を有する。
【００１５】
以下、本発明の実施の形態について、図１から図１１を用いて説明する。
【００１６】
（実施の形態１）
図１は、本発明の実施の形態１のブロック図を示す。
【００１７】
図１において磁気記録再生装置１７は、電源回路１１と、ＡＤコンバーター１２と、カウンターデータ作成装置１３と、切り換え装置１４と、表示データに対応して表示装置１６に表示する表示フォーマットに変換する変換装置１５と、表示装置１６から構成されている。電源回路１１は、バッテリー１０から電源供給され、各回路部に必要な電源を供給する。ＡＤコンバーター１２は、バッテリー１０の電圧をデジタル値に変換する。カウンターデータ作成装置１３は、カウンターデータを作成する。切り換え装置１４は、ＡＤコンバーター１２から出力される電圧データとカウンターデータ作成装置１３から出力されるカウンターデータとを、表示切り換え信号に従って、切り換えて出力する。変換装置１５は、表示切り換え信号に従って、切り換え装置１４から出力される電圧データまたはカウンターデータを表示データに変換する。表示装置１６は、変換装置１５から出力される表示データを表示する。表示切り換え信号は、１ビットの信号で、０のときバッテリー電圧が表示され、１のときカウンターデータが表示される。
【００１８】
ここで、カウンターデータとは、コントロールパルスカウンターデータあるいは、タイムコードデータを意味する。
【００１９】
以上のように実施の形態１によれば、カウンターデータ表示装置があれば、表示装置を増やすことなく、一つの表示装置でカウンターデータ、バッテリー電圧を表示できるという効果を有する。
【００２０】
また、カウンターデータとしてタイムコードデータも使用できるので、本発明の磁気記録再生装置は民生用だけでなく、業務用、放送用としても使用できるという効果を有する。
【００２１】
（実施の形態２）
図２は、本発明の実施の形態２のブロック図を示す。
【００２２】
図２において磁気記録再生装置１７１は、電源回路１１と、ＡＤコンバーター１２と、カウンターデータ作成装置１３と、切り換え装置１４０と、変換装置１５と、表示装置１６と、バッテリー残量データ作成装置１８から構成されている。電源回路１１は、バッテリー１０から電源供給される。ＡＤコンバーター１２は、バッテリー１０の電圧をデジタル値に変換する。カウンターデータ作成装置１３は、カウンターデータを作成する。バッテリー残量データ作成装置１８は、バッテリーの電圧データとバッテリーの放電曲線をもとに、残量をパーセントで表示するように残量データを作成する。切り換え装置１４０は、ＡＤコンバーター１２から出力される電圧データとカウンターデータ作成装置１３から出力されるカウンターデータとバッテリー残量データ作成装置１８から出力される残量データとを、表示切り換え信号に従って、切り換えて出力する。変換装置１５は、表示切り換え信号に従って、切り換え装置１４０から出力される残量データまたは電圧データまたはカウンターデータを表示データに変換する。表示装置１６は、変換装置１５から出力される表示データを表示する。表示切り換え信号は、図８に示すように２ビットの信号で、図中のａの期間はカウンターデータが表示され、ｂの期間はバッテリー残量が表示され、ｃの期間はバッテリー電圧が表示される。
【００２３】
以上のように実施の形態２によれば、カウンターデータ表示装置があれば、表示装置を増やすことなく、一つの表示装置でカウンターデータ、バッテリー電圧、バッテリー残量を表示できるという効果を有する。
【００２４】
（実施の形態３）
図３は、本発明の実施の形態３のブロック図を示す。
【００２５】
図３において磁気記録再生装置１７２は、電源回路１１と、ＡＤコンバーター１２と、カウンターデータ作成装置１３と、切り換え装置１４０と、変換装置１５と、表示装置１６と、バッテリー残量データ作成装置１８から構成されている。電源回路１１は、バッテリー１０から電源供給される。ＡＤコンバーター１２は、バッテリー１０の電圧をデジタル値に変換する。カウンターデータ作成装置１３は、カウンターデータを作成する。バッテリー残量データ作成装置１８は、バッテリー１０から出力されるバッテリー残量検出信号の電圧値をもとに、残量をパーセントで表示するように残量データを作成する。切り換え装置１４０は、ＡＤコンバーター１２から出力される電圧データとカウンターデータ作成装置１３から出力されるカウンターデータとバッテリー残量データ作成装置１８から出力される残量データとを、表示切り換え信号に従って、切り換えて出力する。変換装置１５は、表示切り換え信号に従って、切り換え装置１４０から出力される残量データまたは電圧データまたはカウンターデータを表示データに変換する。表示装置１６は、変換装置１５から出力される表示データを表示する。
【００２６】
以上のように実施の形態３によれば、バッテリーからアナログ電圧値で残量信号が出力されるようなバッテリーに対応して、カウンターデータ表示装置があれば、表示装置を増やすことなく、一つの表示装置でカウンターデータ、バッテリー電圧、バッテリー残量を表示できるという効果を有する。
【００２７】
（実施の形態４）
図４は、本発明の実施の形態４のブロック図を示す。
【００２８】
実施の形態４において、図２に示す実施の形態２に対して第二の切り換え装置１９が追加になっている。第二の切り換え装置１９は、カウンターデータ作成装置１３から出力されるカウンターデータと第一の切り換え装置１４０から出力されるデータとを、カウンター表示強制切り換え信号に従って、切り換えて出力する。変換装置１５は、表示切り換え信号またはカウンター表示強制切り換え信号に従って、第二の切り換え装置１９から出力される残量データまたは電圧データまたはカウンターデータを表示データに変換する。カウンター表示強制切り換え信号は、１ビットの信号で、０のとき表示切り換え信号に従ってバッテリー残量またはバッテリー電圧またはカウンターデータが表示され、１のときは表示切り換え信号の状態にかかわらずカウンターデータが表示される。
【００２９】
以上のように実施の形態４によれば、カウンターデータだけを表示させたいときに、誤ってバッテリーの電圧や残量を表示することがないように保護する効果を有する。
【００３０】
（実施の形態５）
図５は、本発明の実施の形態５のブロック図を示す。
【００３１】
実施の形態５において、図２に示す実施の形態２に対してタイマー回路２０と、表示切り換え信号発生装置２１が追加になっている。表示切り換え信号発生装置２１は、タイマー回路２０をもとに所定の時間間隔で表示切り換え信号を変化させる。表示切り換え信号のタイミングチャートは、図８に示す通りである。
【００３２】
以上のように実施の形態５によれば、スイッチ等の切り換え手段を要することなく、自動的に表示が切り換わる効果を有する。
【００３３】
（実施の形態６）
図６は、本発明の実施の形態６のブロック図を示す。
【００３４】
実施の形態６において、図２に示す実施の形態２に対して表示切り換え信号発生装置２１と、電圧検出装置２２と、残量検出装置２３が追加になっている。電圧検出装置２２は、ＡＤコンバーター１２の出力であるバッテリー電圧データをもとに、バッテリー電圧が所定電圧以下になったことを検出する。残量検出装置２３は、バッテリー残量データ作成装置１８から出力される残量データをもとに、バッテリー残量が所定量以下になったことを検出する。表示切り換え信号発生装置２１は、前記電圧検出装置２２または残量検出装置２３の検出結果に従い、表示切り換え信号を変化させる。例えば、バッテリー電圧が所定電圧以下になった場合は、バッテリー電圧を表示し、バッテリー残量が所定量以下になった場合は、バッテリー残量を表示する。
【００３５】
以上のように実施の形態６によれば、バッテリー電圧又はバッテリー残量が少なくなったことを警告する効果を有する。
【００３６】
（実施の形態７）
図７は、本発明の実施の形態７のブロック図を示す。
【００３７】
実施の形態７において、図２に示す実施の形態２に対して表示データ設定装置２４と、第二の変換装置２５と、残量表示装置２６が追加になっている。残量表示装置２６は、セグメントの表示個数でバッテリー残量を表す。表示データ設定装置２４は、残量表示装置２６が所定の残量範囲を表示するように、セグメントの表示個数の最大値及び最小値が意味する残量データを出力する。第二の変換装置２５は、バッテリー残量データ作成装置１８の出力である残量データを、表示データ設定装置２４の出力するデータに従い、残量表示装置２６の表示データに変換する。
【００３８】
以上のように実施の形態７によれば、バッテリー残量が少なくなったときに、より詳細な残量表示を可能とする効果を有する。
【００３９】
図９は、図１〜図７の表示装置１６にカウンターデータを表示させたときの表示例を示している。
【００４０】
図１０は、図１〜図７の表示装置１６にバッテリー電圧を表示させたときの表示例を示している。ここでの表示例は、１１．４Ｖ（ボルト）を意味する。
【００４１】
図１１は、図２〜図７の表示装置１６にバッテリー残量をパーセントで表示させたときの表示例を示している。ここでの表示例は、残量７０％を意味する。
【００４２】
【発明の効果】
以上のように本発明によれば、一つの表示装置でカウンターデータとバッテリーの電圧及び残量を表示するので、表示装置を少なくすることができ、かつ、バッテリーについて詳細な情報を表示することができるという有利な効果が得られる。
【図面の簡単な説明】
【図１】本発明の実施の形態１による磁気記録再生装置を示すブロック図
【図２】本発明の実施の形態２による磁気記録再生装置を示すブロック図
【図３】本発明の実施の形態３による磁気記録再生装置を示すブロック図
【図４】本発明の実施の形態４による磁気記録再生装置を示すブロック図
【図５】本発明の実施の形態５による磁気記録再生装置を示すブロック図
【図６】本発明の実施の形態６による磁気記録再生装置を示すブロック図
【図７】本発明の実施の形態７による磁気記録再生装置を示すブロック図
【図８】本発明の実施の形態２の表示切り換え信号のタイミングチャート
【図９】本発明の実施の形態１の表示装置の表示例を示す図
【図１０】本発明の実施の形態１の表示装置の表示例を示す図
【図１１】本発明の実施の形態２の表示装置の表示例を示す図
【図１２】従来の磁気記録再生装置を示すブロック図
【図１３】同バッテリー残量表示装置の表示例を示す図
【図１４】同カウンター表示装置の表示例を示す図
【符号の説明】
１０  バッテリー
１１  電源回路
１２  ＡＤコンバーター
１３  カウンターデータ作成装置
１４，１４０  切り換え装置
１５  変換装置
１６  表示装置
１７，１７１〜１７６  磁気記録再生装置
１８  バッテリー残量データ作成装置
１９  切り換え装置
２０  タイマー回路
２１  表示切り換え信号発生装置
２２  電圧検出装置
２３  残量検出装置
２４  表示データ設定装置
２５  変換装置
２６  残量表示装置
【図１】
0003656467.tif 000002
【図２】
0003656467.tif 000003
【図３】
0003656467.tif 000004
【図４】
0003656467.tif 000005
【図５】
0003656467.tif 000006
【図６】
0003656467.tif 000007
【図７】
0003656467.tif 000008
【図８】
0003656467.tif 000009
【図９】
0003656467.tif 000010
【図１０】
0003656467.tif 000011
【図１１】
0003656467.tif 000012
【図１２】
0003656467.tif 000013
【図１３】
0003656467.tif 000014
【図１４】
0003656467.tif 000015